(57)【要約】【課題】記録媒体に記録したタイトルの数が少ない場合におけるメニュー画面の利用効率を向上できるようにようにする。【解決手段】記録媒体の記録終端処理を行う際に記録媒体に記録したタイトル数を検出し、前記記録媒体に記録したタイトル数がサムネイル表示エリアの数よりも少ない場合には、空いているタイトルサムネイルの表示エリアにチャプターサムネイルを表示するようにしてメニュー画面を生成し、記録媒体の終端処理を行う際に、前記メニュー画面を前記記録媒体に記録するようにすることにより、予め設定されているサムネイル表示エリアの数だけ、ユーザが操作可能なサムネイル画像を表示できるようにする。【選択図】図１
2008011415.tif 000002
【特許請求の範囲】
【請求項１】
撮影して生成した画像信号をデジタル化して画像データを生成し、前記生成した画像データを１回の撮影単位であるチャプターで記録媒体に記録するとともに、前記チャプター及び、１以上の前記チャプターからなるタイトルを単位として前記記録媒体に記録された画像データを管理する映像記録装置であって、
前記記録媒体に記録されているタイトル数を検出するタイトル数検出手段と、
前記タイトル数検出手段によって検出されたタイトルの総数と予め定めたタイトルメニュー画面に表示可能なサムネイル画面の数とを比較するタイトル数比較手段と、
前記タイトル数比較手段による比較の結果、前記タイトル数検出手段によって検出されたタイトルの総数が前記予め定めたサムネイル画面の数よりも少ない場合には、前記予め定めたサムネイル画面の数になるよう、前記記録媒体に記録された複数のタイトル及びチャプターのサムネイル画像を用いてメニュー画面を生成するメニュー画面生成手段と、
前記メニュー画面生成手段により生成したメニュー画面を、前記記録媒体の終端処理を行う際に前記記録媒体に記録する記録終端処理手段とを有することを特徴とする映像記録装置。
【請求項２】
前記メニュー画面生成手段は、予め定めた条件で選択した下層チャプターへのリンク情報をチャプターサムネイルとして前記メニュー画面に挿入することを特徴とする請求項１に記載の映像記録装置。
【請求項３】
前記下層チャプターへのリンク情報とは、前記下層チャプターを再生開始する再生リンク情報であることを特徴とする請求項２に記載の映像記録装置。
【請求項４】
前記下層チャプターへのリンク情報とは、前記下層チャプターを含むチャプター再生メニューを表示する表示リンク情報であることを特徴とする請求項２に記載の映像記録装置。
【請求項５】
前記チャプター再生メニューとは、タイトル下層のチャプタ−から再生を開始するメニューであることを特徴とする請求項４に記載の映像記録装置。
【請求項６】
前記下層チャプターを選択する予め定めた条件とは、時間的に略等間隔なことであることを特徴とする請求項２〜５の何れか１項に記載の映像記録装置。
【請求項７】
前記下層チャプターを選択する予め定めた条件とは、個数的に略等間隔なことであることを特徴とする請求項２〜５の何れか１項に記載の映像記録装置。
【請求項８】
前記メニュー画面生成手段は、タイトル内のチャプタ−数が多いタイトル順に下層チャプターを割り当てることを特徴とする請求項２〜５の何れか１項に記載の映像記録装置。
【請求項９】
前記メニュー画面生成手段は、タイトル内のチャプタ−合計時間が長いタイトル順に下層チャプターを割り当てることを特徴とする請求項２〜５の何れか１項に記載の映像記録装置。
【請求項１０】
前記メニュー画面生成手段は、タイトルと同一タイトルの下層チャプターは単体あるいは周辺を含めて同一模様で囲って表示することで区別することを特徴とする請求項２〜９の何れか１項に記載の映像記録装置。
【請求項１１】
前記メニュー画面生成手段は、タイトルと同一タイトルの下層チャプターは単体あるいは周辺を含めて同一色で囲って表示することで区別することを特徴とする請求項２〜９の何れか１項に記載の映像記録装置。
【請求項１２】
記録媒体に画像データを記録する記録手段と、
前記記録媒体に記録された画像データを、第１の管理単位と、前記第１の管理単位が１以上からなる第２の管理単位とにより管理する管理手段と、
前記記録媒体に記録されている前記第１の管理単位、または第２の管理単位の画像データの代表画像を示す代表画像データからなるタイトルデータを生成するタイトル生成手段と、
前記記録媒体に記録されている前記第２の管理単位の数を検出するタイトル数検出手段と、
前記タイトル数検出手段により検出された第２の管理単位の数に応じて、前記タイトル生成手段により前記第１の管理単位の代表画像データを生成するか、または第２の管理単位の代表画像データを生成するかを制御する制御手段とを有することを特徴とする映像記録装置。
【請求項１３】
前記制御手段は、前記第２の管理単位の数が予め決められた数を超えている場合、前記第２の管理単位の代表画像の前記タイトル画像データのみを生成するように前記タイトル生成手段を制御し、
前記第２の管理単位の数が前記予め決められた数以下の場合、前記第１の管理単位の代表画像のタイトル画像データ、及び前記第２の管理単位の代表画像のタイトル画像データの両方を生成するように前記タイトル生成手段を制御することを特徴とする請求項１２に記載の映像記録装置。
【請求項１４】
前記タイトルデータは、前記代表画像に応じた第１の管理単位、または第２の管理単位の画像データから再生を開始するためのリンク情報を含むことを特徴とする請求項１２に記載の映像記録装置。
【請求項１５】
撮影して生成した画像信号をデジタル化して画像データを生成し、前記生成した画像データを１回の撮影単位であるチャプターで記録媒体に記録するとともに、前記チャプター及び、１以上の前記チャプターからなるタイトルを単位として前記記録媒体に記録された画像データを管理する映像記録方法であって、
前記記録媒体に記録されているタイトル数を検出するタイトル数検出工程と、
前記タイトル数検出工程によって検出されたタイトルの総数と予め定めたタイトルメニュー画面に表示可能なサムネイル画面の数とを比較するタイトル数比較工程と、
前記タイトル数比較工程による比較の結果、前記タイトル数検出工程によって検出されたタイトルの総数が前記予め定めたサムネイル画面の数よりも少ない場合には、前記予め定めたサムネイル画面の数になるよう、前記記録媒体に記録された複数のタイトル及びチャプターのサムネイル画像を用いてメニュー画面を生成するメニュー画面生成工程と、
前記メニュー画面生成工程により生成したメニュー画面を、前記記録媒体の終端処理を行う際に前記記録媒体に記録する記録終端処理工程とを有することを特徴とする映像記録方法。
【請求項１６】
記録媒体に画像データを記録する記録工程と、
前記記録媒体に記録された画像データを、第１の管理単位と、前記第１の管理単位が１以上からなる第２の管理単位とにより管理する管理工程と、
前記記録媒体に記録されている前記第１の管理単位、または第２の管理単位の画像データの代表画像を示す代表画像データからなるタイトルデータを生成するタイトル生成工程と、
前記記録媒体に記録されている前記第２の管理単位の数を検出するタイトル数検出工程と、
前記タイトル数検出工程により検出された第２の管理単位の数に応じて、前記タイトル生成工程により前記第１の管理単位の代表画像データを生成するか、または第２の管理単位の代表画像データを生成するかを制御する制御工程とを有することを特徴とする映像記録方法。
【請求項１７】
撮影して生成した画像信号をデジタル化して画像データを生成し、前記生成した画像データを１回の撮影単位であるチャプターで記録媒体に記録するとともに、前記チャプター及び、１以上の前記チャプターからなるタイトルを単位として前記記録媒体に記録された画像データを管理する映像記録方法をコンピュータに実行させるプログラムであって、
前記記録媒体に記録されているタイトル数を検出するタイトル数検出工程と、
前記タイトル数検出工程によって検出されたタイトルの総数と予め定めたタイトルメニュー画面に表示可能なサムネイル画面の数とを比較するタイトル数比較工程と、
前記タイトル数比較工程による比較の結果、前記タイトル数検出工程によって検出されたタイトルの総数が前記予め定めたサムネイル画面の数よりも少ない場合には、前記予め定めたサムネイル画面の数になるよう、前記記録媒体に記録された複数のタイトル及びチャプターのサムネイル画像を用いてメニュー画面を生成するメニュー画面生成工程と、
前記メニュー画面生成工程により生成したメニュー画面を、前記記録媒体の終端処理を行う際に前記記録媒体に記録する記録終端処理工程とを有する映像記録方法をコンピュータに実行させることを特徴とするプログラム。
【請求項１８】
記録媒体に画像データを記録する記録工程と、
前記記録媒体に記録された画像データを、第１の管理単位と、前記第１の管理単位が１以上からなる第２の管理単位とにより管理する管理工程と、
前記記録媒体に記録されている前記第１の管理単位、または第２の管理単位の画像データの代表画像を示す代表画像データからなるタイトルデータを生成するタイトル生成工程と、
前記記録媒体に記録されている前記第２の管理単位の数を検出するタイトル数検出工程と、
前記タイトル数検出工程により検出された第２の管理単位の数に応じて、前記タイトル生成工程により前記第１の管理単位の代表画像データを生成するか、または第２の管理単位の代表画像データを生成するかを制御する制御工程とを有する映像記録方法をコンピュータに実行させることを特徴とするプログラム。
【請求項１９】
請求項１７または１８に記載のプログラムを記録したことを特徴とするコンピュータ読み取り可能な記録媒体。
【発明の詳細な説明】
【技術分野】
【０００１】
本発明は映像記録装置及び映像記録方法に関し、特に、記録媒体の記録終端処理におけるタイトルメニュー画面を生成するために用いて好適な技術に関する。
【背景技術】
【０００２】
光ディスクを用いた映像記録再生装置が実用化されている。前記映像記録再生装置において用いられている記録型光ディスクの規格には、ＤＶＤ−ＲＷのように記録情報が書換え可能なリライタブル型と、ＤＶＤ−Ｒのように記録情報が書換え困難なライトワンス型がある。前記ＤＶＤ−ＲＷやＤＶＤ−Ｒでは、記録容量が残っている場合、書き換えまたは追記によって映像等の情報を更新できるようになっている。
【０００３】
この更新可能な状態のままでは、ＤＶＤ−Ｖｉｄｅｏ規格に準拠していないので、ＤＶＤプレーヤーとの再生互換性が無い状態である。この状態において、ファイナライズ処理と呼ばれる記録終端処理を行うことにより、一般的に普及しているＤＶＤプレーヤーで再生することが可能になる。
【０００４】
また、再生時には記録単位で代表画像のサムネイル画像の一覧が先に表示される。そのサムネイル画像が選択され、決定されるとその記録単位が再生される。そこで、映像記録装置においても、前述のような状態で市販されている映画ＤＶＤ等のメニューに準拠したユーザーインターフェースメニュー情報を作成し、記録媒体に記録するようにしていた（例えば、特許文献１参照）。
【０００５】
ところで、ＤＶＤ−Ｖｉｄｅｏ規格では、一つのディスク当たり最大９９タイトルまで記録できるようになっている。各タイトルは、その下に最大で９９個のチャプターを含むことができるようになっている。
【０００６】
ビデオカメラ記録の場合、ＴＶ番組録画と違って、記録開始と停止の繰返しが頻繁に行われることが多い。この記録開始から記録停止までの１回の記録単位をタイトルとして扱ってしまうと、９９タイトルまで容易に到達してしまい、記録残量が有る場合でも以後記録できなくなる恐れがある。そのため、１回の記録単位をチャプターとして記録し、所定の条件を満たすまでは同一のタイトルとして記録するようにしていた（例えば、特許文献２参照）。
【０００７】
【特許文献１】特開２００３―１５３１４０号公報（第６頁、図３）
【特許文献２】特開２００３―３０８６７５号公報（第６頁、図３）
【発明の開示】
【発明が解決しようとする課題】
【０００８】
前述のように、所定の条件を満たすまでは同一のタイトル内に属するチャプターとして記録するようにした場合、タイトル数がタイトルサムネイル画像の表示エリア数以下しか作られない可能性がある。
【０００９】
このような少数タイトルとなった場合には、少数タイトルだけを表示し、残りの表示エリアをそのまま未表示状態で残していた。前述のように、少数タイトルでそのまま表示し、サムネイル画像が何も表示されないエリアを存在させることは、画面に情報を表示する効率として悪いという課題があった。
本発明は前述の問題点にかんがみ、記録媒体に記録したタイトルが少ない場合におけるメニュー画面の利用効率を向上できるようにすることを目的としている。
【課題を解決するための手段】
【００１０】
本発明の映像記録装置は、撮影して生成した画像信号をデジタル化して画像データを生成し、前記生成した画像データを１回の撮影単位であるチャプターで記録媒体に記録するとともに、前記チャプター及び、１以上の前記チャプターからなるタイトルを単位として前記記録媒体に記録された画像データを管理する映像記録装置であって、前記記録媒体に記録されているタイトル数を検出するタイトル数検出手段と、前記タイトル数検出手段によって検出されたタイトルの総数と予め定めたタイトルメニュー画面に表示可能なサムネイル画面の数とを比較するタイトル数比較手段と、前記タイトル数比較手段による比較の結果、前記タイトル数検出手段によって検出されたタイトルの総数が前記予め定めたサムネイル画面の数よりも少ない場合には、前記予め定めたサムネイル画面の数になるよう、前記記録媒体に記録された複数のタイトル及びチャプターのサムネイル画像を用いてメニュー画面を生成するメニュー画面生成手段と、前記メニュー画面生成手段により生成したメニュー画面を、前記記録媒体の終端処理を行う際に前記記録媒体に記録する記録終端処理手段とを有することを特徴とする。
また、本発明の映像記録装置の他の特徴とするところは、記録媒体に画像データを記録する記録手段と、前記記録媒体に記録された画像データを、第１の管理単位と、前記第１の管理単位が１以上からなる第２の管理単位とにより管理する管理手段と、前記記録媒体に記録されている前記第１の管理単位、または第２の管理単位の画像データの代表画像を示す代表画像データからなるタイトルデータを生成するタイトル生成手段と、前記記録媒体に記録されている前記第２の管理単位の数を検出するタイトル数検出手段と、前記タイトル数検出手段により検出された第２の管理単位の数に応じて、前記タイトル生成手段により前記第１の管理単位の代表画像データを生成するか、または第２の管理単位の代表画像データを生成するかを制御する制御手段とを有することを特徴とする。
【００１１】
本発明の映像記録方法は、撮影して生成した画像信号をデジタル化して画像データを生成し、前記生成した画像データを１回の撮影単位であるチャプターで記録媒体に記録するとともに、前記チャプター及び、１以上の前記チャプターからなるタイトルを単位として前記記録媒体に記録された画像データを管理する映像記録方法であって、前記記録媒体に記録されているタイトル数を検出するタイトル数検出工程と、前記タイトル数検出工程によって検出されたタイトルの総数と予め定めたタイトルメニュー画面に表示可能なサムネイル画面の数とを比較するタイトル数比較工程と、前記タイトル数比較工程による比較の結果、前記タイトル数検出工程によって検出されたタイトルの総数が前記予め定めたサムネイル画面の数よりも少ない場合には、前記予め定めたサムネイル画面の数になるよう、前記記録媒体に記録された複数のタイトル及びチャプターのサムネイル画像を用いてメニュー画面を生成するメニュー画面生成工程と、前記メニュー画面生成工程により生成したメニュー画面を、前記記録媒体の終端処理を行う際に前記記録媒体に記録する記録終端処理工程とを有することを特徴とする。
また、本発明の映像記録方法の他の特徴とするところは、記録媒体に画像データを記録する記録工程と、前記記録媒体に記録された画像データを、第１の管理単位と、前記第１の管理単位が１以上からなる第２の管理単位とにより管理する管理工程と、前記記録媒体に記録されている前記第１の管理単位、または第２の管理単位の画像データの代表画像を示す代表画像データからなるタイトルデータを生成するタイトル生成工程と、前記記録媒体に記録されている前記第２の管理単位の数を検出するタイトル数検出工程と、前記タイトル数検出工程により検出された第２の管理単位の数に応じて、前記タイトル生成工程により前記第１の管理単位の代表画像データを生成するか、または第２の管理単位の代表画像データを生成するかを制御する制御工程とを有することを特徴とする。
【００１２】
本発明のプログラムは、撮影して生成した画像信号をデジタル化して画像データを生成し、前記生成した画像データを１回の撮影単位であるチャプターで記録媒体に記録するとともに、前記チャプター及び、１以上の前記チャプターからなるタイトルを単位として前記記録媒体に記録された画像データを管理する映像記録方法をコンピュータに実行させるプログラムであって、前記記録媒体に記録されているタイトル数を検出するタイトル数検出工程と、前記タイトル数検出工程によって検出されたタイトルの総数と予め定めたタイトルメニュー画面に表示可能なサムネイル画面の数とを比較するタイトル数比較工程と、前記タイトル数比較工程による比較の結果、前記タイトル数検出工程によって検出されたタイトルの総数が前記予め定めたサムネイル画面の数よりも少ない場合には、前記予め定めたサムネイル画面の数になるよう、前記記録媒体に記録された複数のタイトル及びチャプターのサムネイル画像を用いてメニュー画面を生成するメニュー画面生成工程と、前記メニュー画面生成工程により生成したメニュー画面を、前記記録媒体の終端処理を行う際に前記記録媒体に記録する記録終端処理工程とを有する映像記録方法をコンピュータに実行させることを特徴とする。
また、本発明のプログラムの他の特徴とするところは、記録媒体に画像データを記録する記録工程と、前記記録媒体に記録された画像データを、第１の管理単位と、前記第１の管理単位が１以上からなる第２の管理単位とにより管理する管理工程と、前記記録媒体に記録されている前記第１の管理単位、または第２の管理単位の画像データの代表画像を示す代表画像データからなるタイトルデータを生成するタイトル生成工程と、前記記録媒体に記録されている前記第２の管理単位の数を検出するタイトル数検出工程と、前記タイトル数検出工程により検出された第２の管理単位の数に応じて、前記タイトル生成工程により前記第１の管理単位の代表画像データを生成するか、または第２の管理単位の代表画像データを生成するかを制御する制御工程とを有する映像記録方法をコンピュータに実行させることを特徴とする。
【発明の効果】
【００１３】
本発明によれば、記録媒体の記録終端処理を行う際に記録媒体に記録したタイトル数を検出し、前記記録媒体に記録したタイトル数がサムネイル表示エリアの数よりも少ない場合には、空いているタイトルサムネイルの表示エリアにチャプターサムネイルを表示するようにしてメニュー画面を生成し、前記生成したメニュー画面を前記記録媒体に記録して記録終端処理を行うようにしたので、予め設定されているサムネイル表示エリアの数だけ、ユーザが操作可能なサムネイル画像を表示することでき、記録媒体に記録したタイトルが少ない場合におけるメニュー画面の利用効率を向上することができる。
また、本発明の他の特徴によれば、前記記録媒体を作成した映像記録装置ではない映像再生装置で再生する場合においても、チャプター検索性を同様に向上させることができるという効果がある。
【発明を実施するための最良の形態】
【００１４】
（第１の実施形態）
図１は、本発明を適用した映像記録装置の実施形態の構成を説明するブロック図である。
図１において、１００は映像記録装置の統合的な制御を司る制御部である。１０１はカメラ信号処理部でカメラ信号に所定の信号処理を施して規格化された映像信号に変換するためのものである。１０２は信号圧縮処理部で、映像信号をＤＶＤレコーダー等に記録するのに適した信号へ変換し符号圧縮化を施し、映像ファイルを作成するためのものである。
【００１５】
１０３はメモリーコントローラでバッファメモリ１０４のデータ入出力を管理するためのものである。１０５は管理情報処理部で映像ファイルの管理情報を作成するためのものである。１０６は記録部で記録媒体１０７に映像ファイル、管理ファイルを記録する。１０８はビットマップ処理部で記録媒体に記録された動画から縮小静止画を作成して、管理情報処理部によって関連つけられて記録される。
【００１６】
本実施形態では、基本的に、１回の記録開始の指示から記録停止の指示までの間に記録した一連の映像信号を一つのチャプターとして管理する。そして、タイトル内のチャプター数が９９に達した場合、ディスクを排出した場合、日付が変わった場合など、決められたタイミングにて新たなタイトルを作成する。
【００１７】
図２、は映像ファイルの管理構造の一例を説明する図である。
図２に示したように、一つのタイトルは、１つ以上のチャプターから構成される。図２において２１１は１回の記録開始から終了までのファイルであるチャプタ−１である。２１２は同様にチャプタ−２から６（不図示）、２１７はチャプタ−７、２１５はチャプタ−８から１２（不図示）、２１３はチャプタ−１３、２１４はチャプタ−１４である。このように撮影しつづけてきて、例えば日付などが変わったことを契機に、ここまでのチャプタ−２１４は２０１のタイトル１のように同一タイトルに含むとして管理される。
【００１８】
そして、以後のチャプタ−は２２１のチャプタ−１、２２２のチャプタ−２、２２３のチャプタ−３のように２０２のタイトル２に含まれるチャプタ−として管理される。そして２０１のタイトル１と２０２のタイトル２はひとつのビデオタイトルセット２００として管理される。ここで、ファイナライズ処理を実行するときに、情報表示エリアの利用効率が高い再生メニュー画面と管理情報を生成するのが本実施形態の主眼である。
【００１９】
図３は、メニュー画面の説明図である。
図３において、（Ａ）はタイトルメニューで３０１、３０２、３０３、３０４、３０５、３０６はサムネイルである。（Ｂ）は第１のチャプタ−メニュー画面３０１１、（Ｃ）は第２のチャプタ−メニュー画面３０２１、（Ｄ）は第３のチャプタ−メニュー画面３０４１である。本実施例の映像記録装置は、図１で説明したビットマップ処理部１０８がタイトルサムネイルとして１画面につき６タイトル分の画像を生成するようにしている。
【００２０】
図４は、制御部１００のタイトルメニュー画面の作成手順の一例を説明するフローチャートである。以下に、図３と図４を参照しながらタイトルメニュー画面の作成手順の一例を説明する。
【００２１】
ステップＳ４０１において、ファイナライズ開始の指示の有無を判断する。この判断の結果、ファイナライズ開始の指示があった場合、ステップＳ４０２へ処理を移す。また、ファイナライズ開始の指示がない場合は処理を終わる。
【００２２】
ステップＳ４０２において、制御部１００は管理情報処理部１０５から総タイトル数を取得し、その後、処理をステップＳ４０３へ移す。ステップＳ４０３においては、総タイトル数が６未満であるか否かを判断する。この判断の結果、６未満ならステップＳ４０４へ処理を移す。また、６以上ならステップＳ４０５へ処理を移す。図２のように２タイトルしかない場合はステップＳ４０４へ移行する。
【００２３】
ステップＳ４０４においては、予め定めた所定の条件でチャプタ−を選出し、その後ステップＳ４０５へ処理を移す。図３（Ａ）のように、残りの４サムネイルをタイトル１及びタイトル２内から２チャプタ−ずつを選出している。ステップＳ４０５においては、ビットマップ処理部１０８にサムネイル生成処理を指示され、タイトルサムネイル、チャプタ−サムネイルを生成してステップＳ４０６へ処理を移す。
【００２４】
ステップＳ４０６においては、バッファメモリ上にタイトルサムネイルとチャプタ−サムネイルを配置したタイトルメニュー画面を生成する。また、チャプタ−サムネイルを配置したチャプタ−メニュー画面を生成して、ステップＳ４０７へ処理を移す。
【００２５】
ステップＳ４０７では、図３（Ａ）のように、タイトルサムネイル３０１、３０４とチャプタ−サムネイル３０２、３０３、３０５、３０６が加えられた画面が生成される。本実施形態においては、同一タイトル内サムネイルは認識できるように、色枠で囲ってある。また、これと共に、ステップＳ４０７では、図３（Ｂ）、（Ｃ）、（Ｄ）のように、チャプタ−サムネイルが配置されたチャプターメニュー画面が生成される。
【００２６】
チャプターメニュー画面は、先頭から順にチャプタ−を並べていくもので、従来から作られているものである。ステップＳ４０７において管理情報処理部１０５で管理情報を生成する。従来でも図３（Ａ）サムネイル３０１を選択すればタイトル１の先頭から再生が開始される。また、サムネイル３０４を選択すればタイトル２の先頭から再生が開始されるような再生リンク情報が作られている。
【００２７】
本実施形態においては、さらに図３（Ａ）のサムネイル３０２を選択すればタイトル１のチャプタ−７の先頭から再生が開始される。また、サムネイル３０３を選択すればタイトル１のチャプタ−１３の先頭から再生が開始するような再生リンク情報が作られている。あるいは、サムネイル３０１を選択すればタイトル１内に含まれるチャプターを順番に表示するような、図３（Ｂ）の第１のチャプタ−メニュー画面３０１１のようなチャプタ−メニューを表示する再生リンク情報を作成するようにしている。
【００２８】
また、サムネイル３０２を選択すればタイトル１のチャプタ−７が含まれる、図３（Ｃ）の第２のチャプターメニュー画面３０２１のようなチャプタ−メニューを表示する再生リンク情報を作成することも可能である。タイトル２は３チャプタ−しかないため、図３（Ａ）のサムネイル３０４〜３０６の何れを選択しても図３（Ｄ）の第３のチャプターメニュー画面３０４１のようなチャプタ−メニューを表示する再生リンク情報が作られる。そしてステップＳ４０８へ処理を移す。そして、ステップＳ４０８において管理情報を記録することでファイナライズが終了する。
【００２９】
図５は、図４のステップＳ４０４におけるチャプタ−選出において行われる、余り割り当て個数算出処理の一例を説明するフローチャートである。
算出処理が開始されると、ステップＳ５０１においてタイトル数が「１」であるか否かを判断する。この判断の結果、タイトル数が「１」ならばステップＳ５０２へ処理を移行する。また、タイトル数が「１」でないならばステップＳ５０３へ処理を移す。
【００３０】
ステップＳ５０２においては、タイトルが１個なので余りサムネイルは全てタイトル１から選出することを決定して処理を終了する。
【００３１】
一方、ステップＳ５０３においては、余りサムネイル数（表示可能数−タイトル数）はタイトル数で割り切れるかを判断する。この判断の結果、割り切れるならばステップＳ５０４へ処理を移し、割り切れないならばステップＳ５０５へ処理を移す。
【００３２】
ステップＳ５０４においては、余りサムネイルは各タイトルから等分の個数を選出することを決定して処理を終了する。
【００３３】
一方、ステップＳ５０５においては、各タイトルから等分の個数を選出してステップＳ５０６へ処理を移す。
ステップＳ５０６においては、さらに余ったサムネイルをタイトル内のチャプタ−が多いタイトル順に割り当てて算出することに決定して処理を終わる。
【００３４】
図６は、例としてサムネイル表示可能数が「６」で、タイトル内のチャプタ−数がタイトル「１＞タイトル２＞タイトル３、４、５」である場合のサムネイルの割り当てを示した図である。
【００３５】
（Ａ）「タイトル数が２」のときは、各タイトルにそれぞれチャプタ−サムネイルが２ずつ、「タイトル数が３」のときは、各タイトルにそれぞれチャプタ−サムネイルが１ずつ割り当てられている。「タイトル数が４」のときは、「タイトル１と２」だけにそれぞれチャプタ−サムネイルが１つずつ割り当てられている。「タイトル数が５」のときは、タイトル１だけにチャプタ−サムネイルが１つ割り当てられている。ステップＳ５０６において、タイトル内のチャプタ−が多いタイトル順に割り当てているが、これをタイトル時間が長い順に割り当てることも可能である。
【００３６】
この場合、図６はタイトル時間の長さが、「タイトル１＞タイトル２＞タイトル３、４、５」である場合のサムネイルの割り当てを示した表に相当する。このようにタイトル数が少なくなっても、図６（Ｃ）サムネイル数合計は常に６となり、サムネイル可能枚数を有効に利用可能となる。
【００３７】
図７は、図４のステップＳ４０４におけるチャプタ−選出において、チャプタ−選出方針を決定するフローチャートである。
ステップＳ７０１において、チャプタ−を個数で等間隔に選出することを重視するモードであるか判断する。この判断の結果、重視するならステップＳ７０２へ処理を移し、重視しないならステップＳ７０３へ処理を移す。ステップＳ７０２においては、個数で略等間隔に選出することに決定して処理を終わる。ステップＳ７０３において時間で略等間隔に選出することに決定して処理を終わる。
【００３８】
図８は、個数で略等間隔と時間で略等間隔のチャプタ−を３個選出する説明図である。（１）は個数で略等間隔、（２）は時間で略等間隔であり、チャプタ−の横方向の長さは時間を表している。
【００３９】
図８のようなチャプタ−があった場合、（１）個数で等間隔の場合、３個おきに選択するのでチャプタ−１、チャプタ−４、チャプタ−７が選出される。（２）時間で等間隔の場合、チャプタ−１、チャプタ−２が比較的時間が長いのでチャプタ−１、チャプタ−３、チャプタ−６が選出される。
【００４０】
このようにタイトル内にて、どこのチャプタ−へも最短回数、あるいは最短時間で頭だしする方法を提供することができる。本実施例はサムネイル表示にしているが、文字情報のみのメニュー画面であっても、サムネイル表示可能数を文字表示可能行数と置き換えれば、実施可能であるのは明らかである。
【００４１】
（本発明に係る他の実施形態）
前述した本発明の実施形態における映像記録装置を構成する各手段、並びに映像記録方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４２】
また、本発明は、例えば、システム、装置、方法、プログラムもしくは記憶媒体等としての実施形態も可能である。具体的には、複数の機器から構成されるシステムに適用してもよいし、また、一つの機器からなる装置に適用してもよい。
【００４３】
なお、本発明は、前述した実施形態の機能を実現するソフトウェアのプログラム（実施形態では図４、図５及び図７に示すフローチャートに対応したプログラム）を、システムあるいは装置に直接されてもよい。あるいは遠隔から供給し、そのシステムあるいは装置のコンピュータが前記供給されたプログラムコードを読み出して実行することによっても達成される場合を含む。
【００４４】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４５】
その場合、プログラムの機能を有していれば、オブジェクトコード、インタプリタにより実行されるプログラム、ＯＳに供給するスクリプトデータ等の形態であってもよい。
【００４６】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどである。また、磁気テープ、不揮発性のメモリカード、ＲＯＭ、ＤＶＤ（ＤＶＤ−ＲＯＭ、ＤＶＤ−Ｒ）なども含む。
【００４７】
その他、プログラムの供給方法としては、クライアントコンピュータのブラウザを用いてインターネットのホームページに接続し、前記ホームページから本発明のコンピュータプログラムそのものをダウンロードすることによっても供給できる。もしくは、圧縮され自動インストール機能を含むファイルをハードディスク等の記録媒体にダウンロードすることによっても供給できる。
【００４８】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００５０】
また、コンピュータが、読み出したプログラムを実行することによって、前述した実施形態の機能が実現される。その他、そのプログラムの指示に基づき、コンピュータ上で稼動しているＯＳなどが、実際の処理の一部または全部を行い、その処理によっても前述した実施形態の機能が実現され得る。
【００５１】
さらに、記録媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５２】
【図１】本発明の実施形態を示し、映像記録装置の構成例を示すブロック図である。
【図２】映像ファイルの管理構造の一例を説明する図である。
【図３】（Ａ）〜（Ｄ）は、メニュー画面の一例を説明する図である。
【図４】タイトルメニュー画面を作成する手順の一例を説明するフローチャートである。
【図５】余り割り当て個数算出処理の手順の一例を説明するフローチャートである。
【図６】サムネイルの割り当ての一例を示す図である。
【図７】チャプタ−選出方針を決定する手順の一例を説明するフローチャートである。
【図８】チャプタ−を３個選出する場合の一例を説明する図である。
【符号の説明】
【００５３】
１００  制御部
１０１  カメラ信号処理部
１０２  信号圧縮処理部
１０３  メモリーコントローラ
１０４  バッファメモリ
１０５  管理情報処理部
１０６  記録部
１０７  記録媒体
１０８  ビットマップ処理部
【図１】
2008011415.tif 000003
【図２】
2008011415.tif 000004
【図３】
2008011415.tif 000005
【図４】
2008011415.tif 000006
【図５】
2008011415.tif 000007
【図６】
2008011415.tif 000008
【図７】
2008011415.tif 000009
【図８】
2008011415.tif 000010